(57)【特許請求の範囲】
【請求項１】
貯蔵室を有する本体部の底面を形成する底板と、前記底板に設けたネジ孔に外周面で螺合する筒状のスリーブと、前記スリーブの内周面に螺合する軸部を有して設置面上に設置される調整足とを備え、前記スリーブの外周面のネジのリードが内周面のネジのリードよりも小さく、
前記軸部の上部に外周方向に突出する鍔部を設けるとともに、前記鍔部を下方に付勢する付勢部を設け、前記鍔部の下面及び前記スリーブ上の前記鍔部の下面に対向する面が互いに係合し、前記軸部に所定の回転力が付与されると係合解除されることを特徴とする冷蔵庫。
【請求項２】
貯蔵室を有する本体部の底面を形成する底板と、前記底板に設けたネジ孔に外周面で螺合する筒状のスリーブと、前記スリーブの内周面に螺合する軸部を有して設置面上に設置される調整足とを備え、前記スリーブの外周面のネジのリードが内周面のネジのリードよりも小さく、
前記軸部の上部に外周方向に突出する鍔部を設けるとともに、前記スリーブが上端に前記鍔部が嵌合する座グリ部を有し、前記座グリ部の内周壁に前記鍔部を回り止めする回り止め部を設けたことを特徴とする冷蔵庫。
【請求項３】
前記調整足が前記設置面から離れている際に前記本体部は前記設置面に対して前傾していることを特徴とする請求項１または請求項２に記載の冷蔵庫。
【発明の詳細な説明】
【技術分野】
【０００１】
本発明は、高さを調整する調整足を備えた冷蔵庫に関する。
【背景技術】
【０００２】
従来の冷蔵庫は特許文献１に開示されている。この冷蔵庫は貯蔵室を有する本体部の底面を形成する底板と、底板に設けたネジ孔に螺合する軸部を有して設置面上に設置される調整足とを備える。設置面から離れている調整足の軸部が回転されて調整足が設置面上に設置される。その後、調整足の回転により本体部が持ち上げられ、本体部の高さが調整される。
【先行技術文献】
【特許文献】
【０００３】
【特許文献１】特開２００８−６９９９９号公報（第６頁、第１図、第２図）
【発明の概要】
【発明が解決しようとする課題】
【０００４】
上記従来の冷蔵庫によると、調整足による高さ方向の調整範囲を広くすると、軸部が長くなる。このため、本体部の底部に上方に延びる軸部を回避する空間を大きく形成する必要があるため、冷蔵庫の容積効率が低くなる問題があった。また、調整足の軸部のネジのリードが小さいと、調整足を設置面に当接するまで降下させる際に回転させる回数が多くなる。一方で、調整足の軸部のネジのリードが大きいと、設置面に当接した調整足の微調整が困難になる。したがって、冷蔵庫の利便性が悪くなる問題もあった。
【０００５】
本発明は、容積効率及び利便性を向上できる冷蔵庫を提供することを目的とする。
【課題を解決するための手段】
【０００６】
上記目的を達成するために本発明の冷蔵庫は、貯蔵室を有する本体部の底面を形成する底板と、前記底板に設けたネジ孔に外周面で螺合する筒状のスリーブと、前記スリーブの内周面に螺合する軸部を有して設置面上に設置される調整足とを備え、前記スリーブの外周面のネジのリードが内周面のネジのリードよりも小さいことを特徴としている。
【０００７】
また本発明は、上記構成の冷蔵庫において、前記軸部の上部に外周方向に突出する鍔部を設けると好ましい。
【０００８】
また本発明は、上記構成の冷蔵庫において、前記鍔部を下方に付勢する付勢部を設け、前記鍔部の下面及び前記スリーブ上の前記鍔部の下面に対向する面が互いに係合し、前記軸部に所定の回転力が付与されると係合解除されると好ましい。
【０００９】
また本発明は、上記構成の冷蔵庫において、前記スリーブが上端に前記鍔部が嵌合する座グリ部を有し、前記座グリ部の内周壁に前記鍔部を回り止めする回り止め部を設けると好ましい。
【００１０】
また本発明は、上記構成の冷蔵庫において、前記調整足が前記設置面から離れている際に前記本体部は前記設置面に対して前傾していると好ましい。
【発明の効果】
【００１１】
本発明によると、本体部の底板に螺合するスリーブの内周面に調整足の軸部が螺合するので、軸部及びスリーブの回転により調整足が昇降する。このため、省スペースで調整足の調整範囲を大きくすることができ、冷蔵庫の容積効率を向上できる。また、スリーブの外周面のネジのリードが内周面のネジのリードよりも小さいので、軸部の回転により調整足が迅速に設置面に当接し、スリーブの回転により調整足の高さを微調整することができる。したがって、冷蔵庫の利便性を向上させることができる。
【図面の簡単な説明】
【００１２】
【図１】本発明の第１実施形態の冷蔵庫を示す右側面断面図
【図２】本発明の第１実施形態の冷蔵庫の底板の前部を示す側面断面図
【図３】本発明の第１実施形態の冷蔵庫の高さ調整部を示す側面断面図
【図４】本発明の第１実施形態の冷蔵庫の高さ調整部の調整足が床面上に設置された状態を示す側面断面図
【図５】本発明の第１実施形態の冷蔵庫の本体部を略水平状態にした時の高さ調整部を示す側面断面図
【図６】本発明の第１実施形態の冷蔵庫の本体部を上限位置に配した時の高さ調整部を示す側面断面図
【図７】本発明の第２実施形態の冷蔵庫の高さ調整部を示す側面断面図
【図８】本発明の第２実施形態の冷蔵庫の高さ調整部の鍔部及び座グリ部の要部詳細図
【図９】本発明の第３実施形態の冷蔵庫の高さ調整部を示す側面断面図
【図１０】本発明の第３実施形態の冷蔵庫の高さ調整部を示す上面図
【図１１】本発明の第３実施形態の冷蔵庫の高さ調整部の突出部の周方向に沿った断面図
【図１２】本発明の第４実施形態の冷蔵庫の高さ調整部を示す側面断面図
【図１３】本発明の第４実施形態の冷蔵庫の高さ調整部を示す上面図
【発明を実施するための形態】
【００１３】
＜第１実施形態＞
以下に本発明の実施形態を図面を参照して説明する。図１は第１実施形態の冷蔵庫の側面断面図を示している。冷蔵庫１は複数の貯蔵室を形成する断熱箱体６を有した本体部５を備えている。断熱箱体６は塗装鋼板等により形成された外箱１０と樹脂成形品により形成された内箱１１との間に発泡ウレタン等の発泡断熱材１２を充填して形成される。
【００１４】
本体部２の上部には冷凍室２が形成され、冷凍室２の下方には断熱材を充填した仕切壁１１ａを介して冷蔵室３が配される。冷凍室２の前面は回動式の扉２１により開閉される。冷凍室２の両側壁２ａには前後に延びる支持部２２が突設されている。支持部２２上には透明の樹脂から成るトレイ（不図示）が着脱可能に設置され、トレイ上には貯蔵物（不図示）が載置される。
【００１５】
冷凍室２内の支持部２２よりも下方には製氷皿２３及び貯氷ボックス２４が配置される。貯氷ボックス２４は製氷皿２３で製氷された氷を貯める。
【００１６】
冷蔵室３の前面は回動式の扉３１により開閉される。冷蔵室３の両側壁３ａには前後に延びる複数の支持部３２が上下に並んで突設されている。支持部３２上には透明の樹脂から成るトレイ（不図示）が着脱可能に設置され、トレイ上には貯蔵物が載置される。また、冷蔵室３の下部には引き出し可能な収納ケース３５が配される。
【００１７】
断熱箱体６の後部の下方には機械室９０が設けられる。機械室９０の内部には圧縮機９１が配置され、機械室９０の背面は機械室背面板９２により覆われる。圧縮機９１の駆動により冷凍サイクルが運転され、冷気が生成される。冷気によって冷凍室２内の貯蔵物が冷凍保存されるとともに、冷蔵室３内の貯蔵物が冷蔵保存される。
【００１８】
本体部５の底面を形成する底板７の前部及び後部にはそれぞれ左右一対のローラー８が設けられている。ローラー８が室内の床面Ｆ（設置面）上を転動して冷蔵庫１を床面Ｆ上で移動させることができる。また、前方のローラー８の径は後方のローラー８の径よりも小さくなっている。これにより、後述する高さ調整部４０による高さ調整の実施前に本体部５は床面Ｆに対して前傾している。
【００１９】
底板７の前端部には前部のローラー８よりも前方に左右一対の高さ調整部４０が設けられる。高さ調整部４０の前方には本体部５に対して着脱可能な化粧カバー９が取り付けられる。化粧カバー９により高さ調整部４０が覆われ、冷蔵庫１の美観を向上できるとともに使用者の足と高さ調整部４０との衝突を防止することができる。
【００２０】
図２は冷蔵庫１の底板７の前部の側面断面図を示している。図３は高さ調整部４０の側面断面図を示している。図２及び図３は後述の高さ調整の実施前の状態を示している。高さ調整部４０はスリーブ４１と調整足４２とを有し、調整足４２は床面Ｆから離れている。
【００２１】
スリーブ４１は筒状に形成され、上端部には座グリ部４１ｄを有する。スリーブ４１の外周面及び内周面にはそれぞれ雄ネジ４１ａ及び雌ネジ４１ｂが形成される。雄ネジ４１ａは底板７に設けたネジ孔７ａに螺合し、雌ネジ４１ｂは座グリ部４１ｄよりも下方に配される。
【００２２】
本実施形態では雄ネジ４１ａ及び雌ネジ４１ｂが二条ネジにより形成される。二条ネジ以外の多条ネジや一条ネジにより雄ネジ４１ａ及び雌ネジ４１ｂを形成してもよい。
【００２３】
スリーブ４１の外周面の雄ネジ４１ａのリードＬ１（ピッチＰ１の２倍）は内周面の雌ネジ４１ｂのリードＬ２（ピッチＰ２の２倍）よりも小さく形成される。この時、雄ネジ４１ａのリード角は雌ネジ４１ｂのリード角よりも小さくなっている。
【００２４】
また、スリーブ４１の雄ネジ４１ａよりも上方及び下方にはそれぞれ抜け止め部４１ｇ、４１ｈが形成される。抜け止め部４１ｇ、４１ｈは雄ネジ４１ａの径よりも大径に形成される。抜け止め部４１ｇは雄ネジ４１ａをネジ孔７ａに螺合させた後に雄ネジ４１ａの上方に取り付けられる。なお、雄ネジ４１ａをネジ孔７ａに螺合させた後に雄ネジ４１ａの下方に抜け止め部４１ｈを取り付けてもよい。
【００２５】
調整足４２は高さ調整時に床面Ｆに当接する把持部４２ａと、把持部４２ａから上方に延びて把持部４２ａよりも小径の軸部４２ｂとを有する。軸部４２ｂの外周面にはスリーブ４１の雌ネジ４１ｂに螺合するネジ部４２ｃが形成される。軸部４２ｂの上端部には外周方向に突出する鍔部４２ｄが設けられる。鍔部４２ｄはスリーブ４１の座グリ部４１ｄに進入できる大きさに形成される。鍔部４２ｄにより軸部４２ｂのスリーブ４１からの抜けが防止される。
【００２６】
上記構成の冷蔵庫１において、使用者が本体部５を押すとローラー８が床面Ｆ上を転動し、本体部５を室内の所望の位置まで移動させることができる。この時、調整足４２は上限位置（図２、図３の状態）に配され、調整足４２の把持部４２ａは床面Ｆから離れているとともにスリーブ４１の下面に当接している。この時、軸部４２ｂはスリーブ４１の上面よりも上方に突出している。また、スリーブ４１の雄ネジ４１ａの下端部が底板７のネジ孔７ａに螺合し、底板７は抜け止め部４１ｈに当接している。
【００２７】
使用者は本体部５を所望の位置まで移動させた後に本体部５から化粧カバー９を取り外す。その後に、使用者は調整足４２の把持部４２ａを把持し、調整足４２を降下させる方向（上方から見て時計回りの方向）に回転させる。この時、調整足４２には冷蔵庫１の重量が加わっておらず、雄ネジ４１ａのリード角は小さくネジの周囲長は長い。このため、
ネジ孔７ａと雄ネジ４１ａとの間の摩擦力は大きく、ネジ孔７ａに対してスリーブ４１が回転しない。一方、ネジ部４２ｃのリード角は大きくネジの周囲長は短い。このため、ネジ部４２ｃと雌ネジ４１ｂとの間の摩擦力は小さく、雌ネジ４１ｂに対して軸部４２ｂが回転する。これにより、大きいリードＬ２の雌ネジ４１ｂの送りによって調整足４２が少ない回数の回転で床面Ｆに当接する。したがって、調整足４２を床面Ｆ上に迅速に当接させることができる。
【００２８】
図４は調整足４２が床面Ｆ上に当接した状態の高さ調整部４０の側面断面図を示している。調整足４２が床面Ｆ上に当接した際に軸部４２の鍔部４２ｄは座グリ部４１ｄ内に配される。調整足４２が床面Ｆに当接していると、冷蔵庫１の重量によって調整足４２には荷重がかかる。
【００２９】
そして、床面Ｆに当接している調整足４２の把持部４２ａを使用者が更に回転させると、本体部５の底板７の前部が持ち上げられる。この時、スリーブ４１の雄ネジ４１ａのリードＬ１は雌ネジ４１ｂのリードＬ２よりも小さく、雄ネジ４１ａのリード角が雌ネジ４１ｂのリード角よりも小さい。このため、冷蔵庫１の重量によりリード角の大きい雌ネジ４１ｂの斜面を垂直方向に押しつける力によってネジ部４２ｃは雌ネジ４１ｂに対して摺動しにくくなる。一方、冷蔵庫１の重量によりリード角の小さいネジ孔７ａの斜面を垂直方向に押しつける力とスリーブ４１に加わる回転力の方向とが直交に近くなる。このため、雄ネジ４１ａはネジ孔７ａに対して摺動しやすくなる。したがって、雌ネジ４１ｂに対してネジ部４２ｃは摺動せず、スリーブ４１と調節足４２とが一体に回転する。これにより、図５に示すように本体部５の底板７の前部が底板７に設けたネジ孔７ａとスリーブ４１の雄ネジ４１ａとの摺動によって持ち上げられ、本体部５が略水平状態になったときに使用者は調整足４２の回転を止める。これにより、調整足４２が床面Ｆに当接して調整足４２に荷重がかかった状態であっても、使用者は容易に調整足４２の把持部４２ａを回転させて、本体部５の高さ調整を行うことができる。
【００３０】
なお、本体部５が略水平状態になった後に、調整足４２をさらに回転させると、底板７がスリーブ４１の抜け止め部４１ｇに当接する。その後に、調整足４２をさらに回転させると、スリーブ４１の回転が停止した状態で軸部４２ｂが雌ネジ４１ｂの送りによって下降する。そして、鍔部４２ｄが座グリ部４１ｄの底面に当接すると調整足４２の回転が止まる。これにより、図６に示すように底板７の前部は上限位置に配される。
【００３１】
この時、抜け止め部４１ｇが底板７に当接するため、スリーブ４１の底板７からの抜けを防止することができる。また、鍔部４２ｄが座グリ部４１ｄの底面に当接するため、調整足４２のスリーブ４１からの抜けを防止することができる。
【００３２】
以上のように、軸部４２ｂ及びスリーブ４１の回転により本体部５を略水平状態に調整することができる。この時、スリーブ４１の外周面の雄ネジ４１ａのリードＬ１は内周面の雌ネジ４１ｂのリードＬ２よりも小さいため、本体部５の高さを容易に微調整することができる。
【００３３】
また、調整足４２は軸部４２ｂ及びスリーブ４１の回転により昇降するため、軸部４２ｂの長さを長くすることなく、本体部５の高さの調整範囲を広げることができる。
【００３４】
本実施形態によると、本体部５の底板７に螺合するスリーブ１１の内周面に調整足４２の軸部４２ｂが螺合するので、軸部４２ｂ及びスリーブ４１の回転により調整足４２が昇降する。このため、省スペースで調整足４２の調整範囲を大きくすることができ、冷蔵庫１の容積効率を向上できる。また、スリーブ４１の外周面の雄ネジ４１ａのリードＬ１が内周面の雌ネジ４１ｂのリードＬ２よりも小さいので、軸部４２ｂの回転により調整足４２が迅速に床面Ｆ（設置面）に当接し、スリーブ４１の回転により調整足４２の高さを微調整することができる。したがって、冷蔵庫１の利便性を向上させることができる。
【００３５】
また、調整足４２の軸部４２ｂの上部に外周方向に突出する鍔部４２ｄを設けている。これにより、調整足４２のスリーブ４１からの抜けが防止される。
【００３６】
なお、本実施形態において鍔部４２ｄを省いてもよいが、鍔部４２ｄを設けると調整足４２のスリーブ４１からの抜けを容易に防止できるためより望ましい。
【００３７】
また、調整足４２が床面Ｆから離れている際に本体部５は床面Ｆに対して前傾している。これにより、調整足４２を下降する方向に回転させるだけで本体部５を容易に略水平状態に調整することができる。
【００３８】
＜第２実施形態＞
次に、本発明の第２実施形態について説明する。図７は第２実施形態の冷蔵庫の高さ調整部４０の側面断面図を示している。説明の便宜上、前述の図１〜図６に示した第１実施形態と同様の部分には同一の符号を付している。本実施形態は第１実施形態に対し、調整足４２の鍔部４２ｄ及びスリーブ４１の座グリ部４１ｄの構成が異なる。その他の部分は第１実施形態と同様である。
【００３９】
調整足４２の鍔部４２ｄの下面４２ｆ及びスリーブ４１の座グリ部４１ｄの底面４１ｆには互いに係合する係合部４１ｉ、４２ｉが設けられる。また、鍔部４２ｄを下方に付勢するバネ等の付勢部（不図示）が設けられる。
【００４０】
図８は係合部４１ｉ、４２ｉの詳細図を示している。係合部４１ｉ、４２ｉは周方向に沿った断面が鋸刃状に形成される。座グリ部４１ｄの係合部４１ｉは傾斜面４１ｊ、４１ｋを有し、鍔部４２ｄの係合部４２ｉは傾斜面４２ｊ、４２ｋを有する。傾斜面４１ｊ、４２ｊの水平面に対する傾斜角度はそれぞれ傾斜面４１ｋ、４２ｋよりも大きくなっている。
【００４１】
前述の図６に示すように底板７が上限位置に配された際に係合部４１ｉ、４２ｉが互いに係合する。この状態から調整足４２を矢印Ａ方向（上方から見て反時計回り方向）に回転させると、傾斜面４１ｊと傾斜面４２ｊとが当接して軸部４２ｂとともにスリーブ４１が回転する。これにより、ネジ孔７ａが雄ネジ４１ａの下端部に移動して底板７を下降させることができる。
【００４２】
図６の状態から調整足４２を上昇させる方向（上方から見て反時計回り方向）に回転させる場合、調整足４２を下降させる方向（上方から見て時計回り方向）とは回転方向が変わり、冷蔵庫１の重量によりリード角の大きい雌ネジ４１ｂの斜面を垂直方向に押しつける力は雌ネジ４１ｂに対するネジ部４２ｃの摺動を妨げない。このため、リード角の大きいネジ部４２ｃを有する軸部４２ｂのみが回転するおそれがある。本実施形態では、調整足４２の鍔部４２ｄの下面４２ｆ及びスリーブ４１の座グリ部４１ｄの底面４１ｆに互いに係合する係合部４２ｉ、４１ｉをそれぞれ設けているため、スリーブ４１を回転させることができ、リード角の大きいネジ部４２ｃを有する軸部４２ｂのみが回転した場合のような底板７の急激な下降を防止することができる。
【００４３】
この時、スリーブ４１は抜け止め部４１ｇから離れているため、底板７を再度上昇させる際にスリーブ４１を回転させることができ、本体部５の高さ調整を容易に行うことができる。
【００４４】
そして、底板７が雄ネジ４１ａの下端に到達した状態（抜け止め部４１ｈに当接した状態）で所定の回転力を加えて調整足４２を矢印Ａ方向に回転させると、付勢部の付勢力に抗して下面４２ｆと底面４１ｆとの係合が解除される。その後に、調整足４２を上昇させる方向に回転させると、調整足４２を前述の図２の状態に配することができる。
【００４５】
なお、鍔部４２ｄの下面４２ｆとスリーブ４１上の鍔部４２ｄの下面４２ｆに対向する面が互いに係合すればよい。例えば、スリーブ４１の上端面を鍔部４２ｄの下面４２ｆに対向させ、スリーブ４１の上端面を断面鋸刃状に形成してもよい。この場合、鍔部４２ｄの下面４２ｆがスリーブ４１の上端面に係合した状態で調整足４２を図８の矢印Ｂ方向（上方から見て時計回り方向）に回転させると、軸部４２ｂとスリーブ４１とを容易に一体に回転させて底板７を持ち上げることができる。
【００４６】
＜第３実施形態＞
次に、本発明の第３実施形態について説明する。図９、図１０は第３実施形態の冷蔵庫の高さ調整部の側面断面図及び上面図を示している。説明の便宜上、前述の図１〜図６に示した第１実施形態と同様の部分には同一の符号を付している。本実施形態では座グリ部４１ｄの内周壁に鍔部４２ｄを回り止めする回り止め部を設けている。その他の部分は第１実施形態と同様である。
【００４７】
鍔部４２ｄの下面には外周方向に突出する突出部４２ｅが設けられ、座グリ部４１ｄの内周壁には内周方向に突出して突出部４２ｅに当接する突出部４１ｅが設けられる。突出部４１ｅにより鍔部４２ｄを回り止めする回り止め部が構成される。なお、前後のローラー８の下端を通る平面に対して調整足４２の下面が所定量上方に配された際に突出部４２ｅに係合する位置に突出部４１ｅが設けられる。
【００４８】
図１１は突出部４１ｅ、４２ｅの周方向に沿った断面図を示している。突出部４２ｅの周方向に沿った断面形状は下端に頂点を有した三角形に形成される。突出部４１ｅの周方向に沿った断面形状は上端に頂点を有した三角形に形成される。
【００４９】
軸部４２ｂが回転して突出部４２ｅの傾斜面が突出部４１ｅの傾斜面に当接すると鍔部４２ｄが回り止めされ、軸部４２ｂに加えられた回転力がスリーブ４１に容易に伝達される。これにより、本体部５の上下移動の際に調整足４２とスリーブ４１とを容易に一体に回転させることができる。したがって、冷蔵庫１の高さ調整を一層容易に行うことができる。
【００５０】
また、突出部４１ｅ、４２ｅの周方向に沿った断面形状がそれぞれ上端及び下端に頂点を有した三角形に形成されている。これにより、鍔部４２ｄが上方から座グリ部４１ｄに進入した際に突出部４２ｅの突出部４１ｅへの乗り上げを防止し、突出部４１ｅによって確実に鍔部４２ｄを回り止めすることができる。
【００５１】
また、調整足４２を床面Ｆに設置する際に突出部４２ｅが突出部４１ｅに当接すると、調整足４２を回転させている使用者は抵抗を感じる。これにより、使用者は冷蔵庫１の高さを微調整する範囲まで調整足４２が引き出されたことを容易に認識することができる。
【００５２】
＜第４実施形態＞
次に、本発明の第４実施形態について説明する。図１２、図１３は第４実施形態の冷蔵庫の高さ調整部の側面断面図及び上面図を示している。説明の便宜上、前述の図１〜図６に示した第１実施形態と同様の部分には同一の符号を付している。本実施形態では座グリ部４１ｄの内周壁により鍔部４２ｄを回り止めする回り止め部が構成される。その他の部分は第１実施形態と同様である。
【００５３】
本実施形態では、鍔部４２ｄの外形を六角形に形成するとともに、座グリ部４１ｄの内周壁で囲まれた領域の水平断面形状を鍔部４２ｄに嵌合する六角形に形成している。これにより、座グリ部４１ｄの内周壁により鍔部４２ｄを回り止めする回り止め部が構成される。回り止め部によって調整足４２の軸部４２ｂに加えた回転力がより容易にスリーブ４１に伝達されるため、冷蔵庫１の高さ調整を一層容易に行うことができる。
【００５４】
なお、前後のローラー８の下端を通る平面に対して調整足４２の下面が所定量上方に配された際に鍔部４２ｄが座グリ部４１ｄに嵌合するように座グリ部４１ｄ及び軸部４２ｂの上下方向の長さが決められる。
【００５５】
また、軸部４２ｂが図２及び図３の状態から下降して鍔部４２ｄの下面がスリーブ４１の上端面に当接するおそれがある。しかし、ネジ部４２ｃと雌ネジ４１ｂとのバックラッシによって鍔部４２ｄがスリーブ４１の上端面上を摺動した後に座グリ部４１ｄに嵌合することができる。
【００５６】
また、鍔部４１ｄの外形及び座グリ部４１ｄの内周壁で囲まれた領域の水平断面形状は六角形に限定されず、六角形以外の多角形や楕円形状等でもよい。すなわち、鍔部４２ｄが座グリ部４１ｄの内周壁により回り止めされる形状であればよい。
【００５７】
また、第１実施形態〜第４実施形態において、本体部５の前部に左右一対の高さ調整部４０を設けているが、これに加え、本体部５の後部にも左右一対の高さ調整部４０を設けてもよい。
【産業上の利用可能性】
【００５８】
本発明は、高さを調整する調整足を備えた冷蔵庫に利用することができる。
【符号の説明】
【００５９】
１        冷蔵庫
２        冷凍室
３        冷蔵室
５        本体
６        断熱箱体
７        底板
８        ローラー
９        化粧カバー
１０      外箱
１１      内箱
１１ａ    仕切壁
１２      発泡断熱材
２１、３１    扉
４０      高さ調整部
４１      スリーブ
４１ａ    雄ネジ
４１ｂ    雌ネジ
４１ｄ    座グリ部
４２      調整足
４２ａ    把持部
４２ｂ    軸部
４２ｃ    ネジ部
４２ｄ    鍔部
【図１】
0006614950.tif 000002
【図２】
0006614950.tif 000003
【図３】
0006614950.tif 000004
【図４】
0006614950.tif 000005
【図５】
0006614950.tif 000006
【図６】
0006614950.tif 000007
【図７】
0006614950.tif 000008
【図８】
0006614950.tif 000009
【図９】
0006614950.tif 000010
【図１０】
0006614950.tif 000011
【図１１】
0006614950.tif 000012
【図１２】
0006614950.tif 000013
【図１３】
0006614950.tif 000014